(57)【特許請求の範囲】
【請求項１】
少なくとも１種のグリコール；ならびに
少なくとも１種の脂肪酸およびホスフェートエステルを含む添加剤パッケージ；
を含み、該少なくとも１種のグリコールが、総流体組成物の８０質量％超の量で存在し、該ホスフェートエステルが、ジノニルフェノールエトキシ化ホスフェートエステルを含み、そして該脂肪酸が１５〜２５個の炭素原子を含む、流体組成物。
【請求項２】
流体組成物を、ａ）ポリアミド６６およびｂ）４３質量％ガラス繊維のコンポジットを含む第１の表面と、ショアＡ硬度８０を有するＥＰＤＭゴムを含む第２の表面との間に適用し、そして該第１の表面が摺動自在に第２の表面を係合したときに、該第１の表面と該第２の表面との間の１００秒間の摺り係合の後の摩擦係数が０．０７未満である、請求項１に記載の流体組成物。
【請求項３】
該第１の表面と該第２の表面との間の１００秒間の摺り係合の後の摩擦係数が、０．０３未満である、請求項２に記載の流体組成物。
【請求項４】
少なくとも１種の脂肪酸が、直鎖である、請求項１に記載の流体組成物。
【請求項５】
少なくとも１種の脂肪酸が、モノ不飽和である、請求項１に記載の流体組成物。
【請求項６】
ホスフェートエステルが、式Ｒ1−Ｒ2−ＯＨ
（式中、Ｒ1は置換または非置換のアルキル基、アルケニル基およびアリール基からなる群から選択され、そして
Ｒ2はアルキル基およびアルコキシ基からなる群から選択される）
を有するアルコールのホスフェートエステルである、請求項１に記載の流体組成物。
【請求項７】
Ｒ1が少なくとも２個の炭素原子を有する、請求項６に記載の流体組成物。
【請求項８】
Ｒ1が、アルキル置換されたアリール基である、請求項６に記載の流体組成物。
【請求項９】
Ｒ2がエトキシ基である、請求項６に記載の流体組成物。
【請求項１０】
Ｒ1が、非置換のアルケニル基である、請求項６に記載の流体組成物。
【請求項１１】
少なくとも１種のグリコールが、式：
【化１】
0005480285.tif 000016
（式中、Ｒ1、Ｒ2、Ｒ3、Ｒ4およびＲ5は独立に、水素、および１〜８個の炭素原子を含有するアルキル基からなる群から選択され、そしてｎは少なくとも１である。）
を有する、請求項１または２に記載の流体組成物。
【請求項１２】
少なくとも１種のグリコールが、ｎ＝２である第１のグリコール成分と、ｎ＝３である第２のグリコール成分とを含む、請求項１１に記載の流体組成物。
【請求項１３】
少なくとも１種のグリコール成分が、Ｒ1が１個の炭素原子を含有するアルキル基である第１のグリコール成分と、Ｒ1が４個の炭素原子を含有するアルキル基である第２のグリコール成分とを含む、請求項１１に記載の流体組成物。
【請求項１４】
流体組成物の１０質量％未満である量で存在する少なくとも１種のグリコールボレートエステルを更に含む、請求項１または２に記載の流体組成物。
【請求項１５】
式：
Ｒ7−（Ｏ−（ＰＯ）m（ＥＯ）n−Ｒ8）x
（式中、ＰＯは、プロピレンオキサイド単位であり；
ＥＯは、エチレンオキサイド単位であり；
Ｒ7は、水素またはｘ価ヒドロカルビル基であり；
ｘは、少なくとも１であり；
Ｒ8は、水素またはヒドロカルビル基であり；
ｍは、少なくとも０の数であり；
ｎは、少なくとも０の数であり；そして
ｍ＋ｎは、０超である。）
を有するポリアルキレングリコールを更に含む、請求項１または２に記載の流体組成物。
【発明の詳細な説明】
【技術分野】
【０００１】
技術分野
本件は、米国出願整理番号第６１／１１２，４６６号（２００８年１１月７日出願）（これは全趣旨で参照により本明細書に組入れる）の出願日の利益を主張する。
【０００２】
本開示は、種々の用途、および特にブレーキ流体として有用な低粘度の機能性流体に関する。
【背景技術】
【０００３】
背景
新たに開発された設備，例えば電子または自動のアンチロックブレーキシステム、安定制御システム、および回生ブレーキシステムは、適切な物理的および性能的な特性を有する高性能の液圧流体（例えばブレーキ流体）に対する要求を生じさせてきた。特に、高い潤滑性を有してブレーキノイズを低減または排除する一方、腐食を低減することによりブレーキの寿命を改善する、高性能のブレーキ流体に対する強い要求がある。米国政府は、ＤＯＴ（Department of Transportation）指定（例えば、ＤＯＴ  ３，ＤＯＴ  ４，ＤＯＴ  ５．１等）のシステムを用い、ブレーキ流体として用いる機能性流体の指定および保証を支配する基準を発展させてきた。基準は、Ｆｅｄｅｒａｌ  Ｍｏｔｏｒ  Ｖｅｈｉｃｌｅ  Ｓａｆｅｔｙ  Ｓｔａｎｄａｒｄ  １１６（”ＦＭＶＳＳ  １１６”）によって実施される。加えて、特定の基準設定機関，例えばＳｏｃｉｅｔｙ  ｏｆ  Ａｕｔｏｍｏｔｉｖｅ  Ｅｎｇｉｎｅｅｒｓ（”ＳＡＥ”）およびＩｎｔｅｒｎａｔｉｏｎａｌ  Ｓｔａｎｄａｒｄｓ  Ｏｒｇａｎｉｚａｔｉｏｎ（”ＩＳＯ”）は、ブレーキ流体についてのこれら自身の基準および保証を開発してきた。ＳＡＥ基準Ｊ１７０３は、以下に示すものを包含する特定の物理特性を有する非石油ブレーキ流体を網羅する。ＳＡＥ基準Ｊ１７０４は、ＳＡＥ  Ｊ１７０３基準のものの上記の性能のレベルを実現する「ボレートエステル系ブレーキ流体」を網羅する。同様に、ＩＳＯ  ４９２５は、米国外で用いる多くのブレーキ流体指定，例えば「クラス３」、「クラス４」、「クラス５−１」、および「クラス６」を与える。
【０００４】
ＦＭＶＳＳ  １１６，ＳＡＥ  Ｊ１７０３，ＳＡＥ  Ｊ１７０４，およびＩＳＯ  ４９２５は、厳密な物理特性および性能要求を、特に最小乾燥平衡還流沸点（ＥＲＢＰ）、最小湿潤平衡沸点（ＷＥＲＢＰ）、および最大低温（−４０℃）粘度に対して与える。これらはまた、適切な耐食性、安定性および他の特定の物理特性，例えばｐＨ、保存アルカリ度、ゴム膨潤等の維持を要求する。ＳＡＥ  Ｊ１７０３（Ｒｅｖ．Ａｐｒｉｌ  ２００４）およびＪ１７０４（Ｒｅｖ．Ａｐｒｉｌ  ２００４）およびＦＭＶＳＳ  １１６の全部を参照により本明細書に組入れる。
【０００５】
ブレーキ流体についての最近の基準を以下に記載する。
【０００６】
【表１】
0005480285.tif 000002
【０００７】
このような望ましい機能性流体を与えるための１つの例示的な解決は、共有の米国特許出願公開第２００７／００２７０３９号（発明の名称”Ｌｏｗ  Ｖｉｓｃｏｓｉｔｙ  Ｆｕｎｃｔｉｏｎａｌ  Ｆｌｕｉｄｓ”）で紹介された。そして全趣旨で参照により本明細書に組入れる。有利には、これらの先行技術の機能性流体の望ましい特性が、特に潤滑性および耐食性の領域で更に改善できることが見出されてきた。更に、このような改善は、顕著なコストを被ることなく実現できることを発見した。更に、新規な含有成分、更にこのような機能性流体の先行技術の含有成分または他の代替の含有成分の使用を経て実際にコストを低減することが可能である場合がある。
【０００８】
多くのより新しいブレーキシステムマスターシリンダーは、ブレーキを作動させる際にマスターシリンダーピストンのゴムカップで係合されるプラスチックライニングを含む。多くの公知のブレーキ流体は、このような用途において不十分な潤滑性を与え、過度なノイズおよび摩耗をもたらすことを見出した。改質された機能性流体の使用を経て、このようなノイズおよび摩耗の低減が可能である場合がある。
【０００９】
ＦＭＶＳＳ  １１６，Ｊ１７０３，Ｊ１７０４，およびＩＳＯ  ４９２５は、各々、規定の試験手順（ここで、種々の金属の金属ストリップを、５％（体積基準）の水とブレーキ流体との混合物中に、特定時間（１２０時間）、特定温度（１００℃）で浸す）に基づく腐食仕様を含む。ＦＭＶＳＳ  １１６，Ｊ１７０３，Ｊ１７０４，およびＩＳＯ  ４９２５の基準は、実際の路面条件（これに多くのブレーキ流体を供する）を、特に米国の北部気候（しばしば冬には氷の蓄積を制御するための塩分が付与される）での路面について、信頼性よく再現しないことを見出した。結果として、腐食を評価するために用いる試験手順を、塩化物塩（例えばＮａＣｌ）を水／ブレーキ流体混合物に添加することによって改変することが提案されてきた。しかし、現在のブレーキ流体は、ＤＯＴ  ３，ＤＯＴ  ４，Ｊ１７０３，Ｊ１７０４およびＩＳＯ  ４９２５の流体のために必要な耐食性のレベルを、この改変された試験に供する場合に与えることができない。例えば、Ｓｈａｎｎｏｎ，米国特許第６，５５８，５６９号、およびＰａｒｋ，米国特許第６，３３９，０５０号は、アルキルグリコールボレートエステル、アルキルグリコール、および腐食防止剤パッケージを含むＤＯＴ  ４ブレーキ流体を記載する。しかし、これらは、塩水でのブレーキ流体の汚染の問題を扱わず、そして、開示される流体が、塩水環境に供した場合にＳＡＥ  Ｊ１７０３／Ｊ１７０４またはＩＳＯ  ４９２５の腐食基準に適合できることの示唆を与えない。よって、上記の問題を扱う機能性流体に対する要求が挙がっている。
【発明の概要】
【課題を解決するための手段】
【００１０】
要約
少なくとも１種のグリコールならびに少なくとも１種の脂肪酸および少なくとも１種のホスフェートエステルを含む添加剤パッケージを含む流体組成物を提供する。特定の例示の態様において、少なくとも１種の脂肪酸は、少なくとも２個、好ましくは少なくとも５個、より好ましくは少なくとも１０個、および更により好ましくは少なくとも１５個の炭素原子を有する脂肪族カルボン酸である。別の例示の態様において、少なくとも１種の脂肪酸は、３５個以下、好ましくは３０個以下、および更により好ましくは２５個以下の炭素原子を有する。更なる例示の態様において、脂肪酸はモノ不飽和である。添加剤パッケージ中の脂肪酸は、一般的には、流体組成物の少なくとも約０．０１質量％、好ましくは少なくとも約０．０４質量％、およびより好ましくは少なくとも約０．０８質量％である量で存在する。脂肪酸は、一般的には、流体組成物の０．４質量％以下、より好ましくは約０．２質量％以下、および更により好ましくは約０．１５質量％以下である量で存在する。
【００１１】
ホスフェートエステルは、一般的には、アルコールおよびリン酸（Ｈ3ＰＯ4）のモノ、ジ−またはトリ−エステルである。アルコールは、好ましくは、式Ｒ1−Ｒ2−ＯＨを有し、式中、Ｒ1は置換または非置換のアルキル基、アルケニル基またはアリール基であって少なくとも２個、より好ましくは少なくとも３個、更により好ましくは少なくとも４個、および更により好ましくは少なくとも６個の炭素原子を有する。Ｒ1は、３０個以下、好ましくは２８個以下、更により好ましくは２６個以下、および更により好ましくは２４個以下の炭素原子を有する。Ｒ2は、好ましくはアルキル基またはアルコキシ基であって２〜６個の炭素原子を有する。１つの例示の態様において、Ｒ2は、エトキシ基（−Ｏ−ＣＨ2−ＣＨ2−）である。
【００１２】
少なくとも１種のグリコールおよび添加剤パッケージを含み、流体を、ガラス繊維／ポリアミド６６のコンポジットを含む第１の表面と、８０ショアＡ硬度ＥＰＤＭゴムを含む第２の表面との間に適用したときに、該第１の表面と該第２の表面との間の１００秒間の摺り係合の後の摩擦係数が約０．０７未満である、流体組成物もまた提供する。特定の例示の態様において、１００秒間の摺り係合の後の摩擦係数は約０．０３未満である。他の例示の態様においては、流体の平衡還流沸点が少なくとも約２３０℃である。別の例示の態様においては、流体の動粘度が、−４０℃にて約１８００ｃＳｔ以下である。特定の例示の用途において、流体は、マスターシリンダー潤滑剤として用いる。
【図面の簡単な説明】
【００１３】
【図１】図１は、第１の低粘度グリコール系流体、ならびにオレイン酸および／またはホスフェートエステルを含む２つの改質型の流体の摩擦データのプロットである。
【図２】図２は、第２の低粘度グリコール系流体、および種々の量のホスフェートエステルを含む流体の２つの改質版の摩擦データのプロットである。
【発明を実施するための形態】
【００１４】
詳細な説明
本開示は、１種以上のグリコール、ならびに少なくとも１種の脂肪酸およびホスフェートエステルを含む添加剤パッケージを含む機能性流体に関する。脂肪酸およびホスフェートエステルは、好ましくは、流体が塩水で汚染されている場合に、摩擦で係合された表面の潤滑を補助して腐食を防止するのに有効な量で存在する。
【００１５】
本明細書に記載する機能性流体は、一般的には、約２０質量％超の総グリコール、より好ましくは約４０質量％超の総グリコール、および更により好ましくは約６０質量％超の総グリコールを含む。総グリコール量が約７０質量％超であることは更により好ましく、そして総グリコール量が約８０質量％超であることは特に好ましい。グリコールの総量は、好ましくは総機能性流体組成物の１００質量％未満であり、好ましくは総流体組成物の約９９質量％以下である。
【００１６】
グリコール成分は、１種、２種、３種またはこれより多いグリコール、ポリグリコール、または両者の一部、実質的に全部（少なくとも９０質量％または少なくとも９５質量％）または全部で形成できる。好ましくは、グリコール成分のグリコールまたはポリグリコールは、式Ｉの式：
【００１７】
【化１】
0005480285.tif 000003
【００１８】
を有する。
【００１９】
Ｒ1、Ｒ2、Ｒ3、Ｒ4、Ｒ5の各々は、水素（Ｈ）、または１〜８個もしくはこれより多い炭素原子を含有するアルキル基、またはこれらの混合物のいずれかであり、例えば仮出願整理番号第６０／９７６，０１０号（２００７年９月２８日出願）、発明の名称”Ｆｕｎｃｔｉｏｎａｌ  Ｆｌｕｉｄ  Ｃｏｍｐｏｓｉｔｉｏｎ”（全趣旨で参照により本明細書に組入れる）に開示されるものである。Ｒ1は、グリコールまたはポリグリコールがアルコキシグリコールエーテルである、１〜８個の炭素原子を含有するアルキル基（例えば、アルキル末端封鎖グリコールエーテル）であることが好ましい（単にＲ1がＨであるグリコールとは逆に）。典型的には、Ｒ1は、グリコール成分、流体組成物全体、または両者の、９０質量％未満、より典型的には５０質量％未満、および更に場合により３０質量％未満または２０質量％未満について、Ｈである。用語「ポリグリコール」は、グリコール，例えば、式Ｉでｎが少なくとも２またはこれを超えるものを意味する。用語「グリコール」は、全てのポリグリコールを包含する。グリコール成分が、Ｒ1がアルキル基であるもの、およびＲ1がＨであるものの両者のグリコールを包含できることを理解すべきである。
【００２０】
グリコール成分は、ｎ＝１であるグリコールを包含できる。含まれる場合、このようなグリコールはグリコール成分の約５質量％未満である。好ましくは、グリコール成分のグリコールは、グリコール（例えばアルコキシグリコール）であってｎ＝２であるもの、グリコール（例えばアルコキシグリコール）であってｎ＝３であるもの、グリコール（例えばアルコキシグリコール）であってｎ＝４またはこれより多いもの、またはこれらの任意の混合物である。より好ましいグリコール成分は、ｎ＝２、ｎ＝３、およびｎ＝４またはこれより多い、グリコール（例えばアルコキシグリコール）の混合物を含む。ｎ＝２またはこれより多いグリコールがグリコール成分中および／または機能性流体全体中に、グリコール成分、機能性流体全体または両者の少なくとも約５０質量％、より好ましくは少なくとも約６０質量％、およびより好ましくは少なくとも約７５質量％である量で存在することも好ましい。ｎが２またはこれより多いグリコールの量は、更により好ましくは少なくとも約９０質量％である。
【００２１】
ｎ＝２またはこれより多いグリコールが、グリコール成分中および／または機能性流体全体中に、約９９質量％以下の量で存在することもまた好ましい。
【００２２】
ｎ＝２のグリコールは、総グリコール成分の好ましくは少なくとも約０．５質量％、より好ましくは総グリコール成分の少なくとも約１質量％、および更により好ましくは総グリコール成分の少なくとも約２質量％である量で存在する。ｎ＝２であるグリコールは、総グリコール成分の好ましくは約１０質量％以下、より好ましくは総グリコール成分の約８質量％以下、および更により好ましくは総グリコール成分の約７質量％以下である量で存在する。
【００２３】
ｎ＝３であるグリコールは、総グリコール成分の好ましくは約８０質量％以下、より好ましくは総グリコール成分の約７０質量％以下、および更により好ましくは総グリコール成分の約６６質量％以下である量で存在する。ｎ＝３であるグリコールは、総グリコール成分の好ましくは少なくとも約４０質量％、より好ましくは少なくとも約５０質量％、および更により好ましくは総グリコール成分の少なくとも約５８質量％である量で存在する。
【００２４】
ｎ＝４またはこれより多いグリコールは、総グリコール成分の好ましくは約４５質量％以下、より好ましくは約４０質量％以下、および更により好ましくは約３５質量％以下である量で存在する。ｎ＝４またはこれより多いグリコールは、総グリコール成分の好ましくは少なくとも約１５質量％、より好ましくは少なくとも約２０質量％、および更により好ましくは少なくとも約２５質量％である量で存在する。好ましいグリコール成分としては、Ｒ1基がメチル、エチル、プロピル、ブチルまたはこれらの組合せを含むものが挙げられる。
【００２５】
限定しないが、有用なグリコール（例えばアルコキシグリコールまたはその他）の例としては、メトキシトリグリコール、メトキシジグリコール、メトキシテトラグリコール、メトキシポリグリコール（例えば、メトキシトリグリコール、メトキシテトラグリコール、および他のグリコールであってＲ1がＣＨ3でかつｎが５またはこれより大きいもの、の混合物）、エトキシトリグリコール、エトキシジグリコール、エトキシテトラグリコール、プロポキシトリグリコール、ブトキシトリグリコール（例えば、トリエチレングリコールモノブチルエーテル）、ブトキシジグリコール（例えば、ジエチレングリコールモノブチルエーテル）、ブトキシテトラグリコール、ブトキシポリグリコール（例えば、ブトキシトリグリコール、ブトキシテトラグリコール、および他のグリコールであってＲ1が４個の炭素原子を有するアルキルでかつｎが５またはこれより大きいもの、の混合物）、ブトキシペントキシジグリコール、ペントキシトリグリコール、２−エチルヘキシルジグリコール、ならびにこれらの任意の混合物が挙げられる。
【００２６】
グリコール成分の好ましいグリコール（例えばアルコキシグリコール）としては、限定しないが、メトキシトリグリコール、メトキシジグリコール、メトキシポリグリコール、メトキシテトラグリコール、エトキシポリグリコール、エトキシトリグリコール、エトキシジグリコール、エトキシテトラグリコール、ブトキシポリグリコール、ブトキシトリグリコール、ブトキシジグリコール、ブトキシテトラグリコール、トリエチレングリコールモノヘキシルエーテル、ジエチレングリコールモノプロピルエーテル、トリエチレングリコールモノプロピルエーテル、ジプロピレングリコールモノメチルエーテル、ジプロピレングリコールモノプロピルエーテル、トリプロピレングリコールモノプロピルエーテル、ジプロピレングリコールモノブチルエーテル、トリプロピレングリコールモノブチルエーテル、ポリプロピレングリコールモノブチルエーテル、ポリプロピレングリコールモノプロピルエーテル、またはこれらの混合物が挙げられる。より好ましいアルコキシグリコール成分は、メトキシトリグリコール、メトキシジグリコール、メトキシポリグリコール、ブトキシトリグリコール、ブトキシジグリコール、ブトキシポリグリコール、トリエチレングリコールモノヘキシルエーテル、ジエチレングリコールモノプロピルエーテル、トリエチレングリコールモノプロピルエーテル、ジプロピレングリコールモノメチルエーテル、ジプロピレングリコールモノプロピルエーテル、トリプロピレングリコールモノプロピルエーテル、ジプロピレングリコールモノブチルエーテル、トリプロピレングリコールモノブチルエーテル、ポリプロピレングリコールモノプロピルエーテル、ポリプロピレングリコールモノブチルエーテル、またはこれらの混合物を含む。最も好ましいアルコキシグリコール成分は、メトキシポリグリコール、ブトキシジグリコール、ブトキシトリグリコール、ブトキシポリグリコール、トリエチレングリコールモノプロピルエーテル、トリプロピレングリコールモノプロピルエーテル、トリプロピレングリコールモノブチルエーテル、ポリプロピレングリコールモノプロピルエーテル、またはポリプロピレングリコールモノブチルエーテルの２種以上の混合物を含む。
【００２７】
有用なグリコールの更なる例（例えばアルコキシグリコール等）としては、限定しないが、ジエチレングリコールモノプロピルエーテル、トリエチレングリコールモノプロピルエーテル、ジプロピレングリコールモノメチルエーテル、ジプロピレングリコールモノプロピルエーテル、トリプロピレングリコールモノプロピルエーテル、ジプロピレングリコールモノブチルエーテル、ジプロピレングリコールモノメチルエーテル、トリプロピレングリコールモノエチルエーテル、トリプロピレングリコールモノプロピルエーテル、トリプロピレングリコールモノブチルエーテル、ポリプロピレングリコールモノプロピルエーテル、ポリプロピレングリコールモノブチルエーテル、ポリブチレングリコールモノプロピルエーテル、ポリブチレングリコールモノブチルエーテル、これらの組合せ等が挙げられる。
【００２８】
限定しないが、有用なアルコキシグリコールの調製方法としては、アルキレンオキサイドをアルコールと反応させてアルコキシグリコールを生成するアルコキシ化反応が挙げられる。
【００２９】
グリコール成分としてはまた、グリコールポリマーを挙げることができ、これはホモポリマー、ブロックコポリマー、ランダムコポリマー等であることができる。グリコールコポリマーは好ましい。グリコールコポリマーは、典型的には、第１の構造を有する式Ｉの１種以上の第１の繰返し単位と、第２の構造を有する１種以上の第２の繰り返し単位とを含む。特に、グリコールコポリマーは、典型的には、式Ｉ（式中、Ｒ2、Ｒ3、Ｒ4およびＲ5が各々Ｈである）の少なくとも１種の第１の繰返し単位を含む。グリコールコポリマーはまた、典型的には、Ｒ2、Ｒ3、Ｒ4およびＲ5の少なくとも１つおよび典型的には１つのみであるが場合によっては２つ、３つまたは４つ全てが、各々、１〜８個の炭素原子を含有するアルキル基である、少なくとも１種の第２の繰返し単位を含む。グリコールコポリマーの好ましい第２の繰返し単位としては、Ｒ2基またはＲ3基、およびより好ましくはＲ4基またはＲ5基が、メチル、エチル、プロピル、ブチル、またはこれらの組合せを含むものが挙げられる。グリコールコポリマーのより好ましい第２の繰り返し単位としては、Ｒ2基またはＲ3基、およびより好ましくはＲ4基またはＲ5基が、メチル基またはエチル基を含むものが挙げられる。グリコールコポリマーの更により好ましい第２の繰返し単位としては、Ｒ2基またはＲ3基、およびより好ましくはＲ4基またはＲ5基が、メチル基を含むもの（すなわち、プロピレンオキサイド繰返し単位）が挙げられる。
【００３０】
１つの例示の態様において、グリコールポリマーは、下記式：
Ｒ7−（Ｏ−（ＰＯ）m（ＥＯ）n−Ｒ8）x
（式中、ＰＯは、プロピレンオキサイド単位であり；
ＥＯ、はエチレンオキサイド単位であり；
Ｒ8は、水素またはヒドロカルビル基であり；
ｘは、少なくとも１であり；
Ｒ7は、水素またはｘ価ヒドロカルビル基であり；
ｍは、少なくとも０の数であり；
ｎは、少なくとも０の数であり；そして
ｍ＋ｎは、０超である。）
を有する。
【００３１】
グリコールポリマーは、分子量少なくとも約５００ｇ／ｍｏｌ、好ましくは少なくとも約７５０ｇ／ｍｏｌ、およびより好ましくは少なくとも約９００ｇ／ｍｏｌを有する。グリコールポリマーは、分子量約２，０００ｇ／ｍｏｌ以下、より好ましくは約１，５００ｇ／ｍｏｌ以下、および更により好ましくは約１，１１０ｇ／ｍｏｌ以下を有する。
【００３２】
グリコールコポリマーの１つの例示の態様に従って、ｍおよびｎは等しく、この場合、グリコールコポリマーは、等モルのエチレンオキサイドおよびプロピレンオキサイドの繰返し単位を含有する。繰返しのエチレンオキサイド単位の数およびプロピレンオキサイド単位の数は、各々好ましくは２超、より好ましくは４超、および更により好ましくは８超である。１つの好適なグリコールコポリマーは、ＵＣＯＮ（登録商標）５０ＨＢ−２６０（Ｔｈｅ  Ｄｏｗ  Ｃｈｅｍｉｃａｌ  Ｃｏｍｐａｎｙ）である。ＵＣＯＮ  ５０  ＨＢ−２６０は、等しい数のプロピレンオキサイド単位およびエチレンオキサイド単位を含み、そして分子量約１,０００ｇ／ｍｏｌを有する。ＵＣＯＮ  ５０  ＨＢ−２６０において、Ｒ7は１価アルキル基であり、ｘは１であり、そしてＲ8は水素原子である。
【００３３】
用いる場合、グリコールボレートエステル成分としては、好ましくは、式：
【００３４】
【化２】
0005480285.tif 000004
【００３５】
（式中、Ｒ1、Ｒ2、Ｒ3、Ｒ4およびＲ5は、式Ｉに関して規定した任意の基であることができ、そしてｎは、式Ｉに関して規定した通りであることができる。）
を有する少なくとも１種の含有成分が挙げられる。このように、グリコールボレートエステル成分は、本明細書において式Ｉに関して議論したようなグリコール成分の任意の繰返し単位を有することができる。グリコールボレートエステル成分および任意のボレート含有化合物をグリコール成分の一部とは考えず、別のものと考えることもまた理解される。
【００３６】
任意のグリコールボレートエステル成分の例としては、アルコキシグリコールボレートエステル成分，例えばメトキシトリエチレングリコールボレートエステル、エトキシトリエチレングリコールボレートエステル、ブトキシトリエチレングリコールボレートエステルおよびこれらの混合物であって米国特許第６，５５８，５６９号（参照により本明細書に組入れる）に開示されるものが挙げられる。ボレートエステル成分が組成物中に存在する場合、これは好ましくは、機能性流体の約１質量％超である量で存在する。任意のボレートエステルはまた、好ましくは、機能性流体の、約１０質量％未満、およびより好ましくは約４質量％未満である量で存在する。一態様において、機能性流体組成物は、任意のボレートエステル成分を、実質的に含まず（機能性流体の約０．５質量％未満）または完全に含まない。
【００３７】
グリコールボレートエステル成分が、組成物中に含まれる場合、これは、典型的には、成分のグリコール基が、組成物全体の実質部分に相当する場合である。本明細書で規定するようなグリコール基は、式Ｉおよび式ＩＩの一部であり、これらの式の（Ｈ）水素原子または（Ｂ）ホウ素原子に付いている。よって、このようなグリコール基は以下の通りである：
【００３８】
【化３】
0005480285.tif 000005
【００３９】
これらのグリコール基は、組成物全体の少なくとも約５０質量％、より好ましくは少なくとも約６０質量％、更により典型的には少なくとも約８０質量％、および更に場合によっては少なくとも約９０質量％に相当することができる。
【００４０】
上記の通り、本開示の機能性流体はまた、少なくとも１種の脂肪酸、少なくとも１種のホスフェートエステル、１種以上の腐食防止剤、ならびに以下：消泡剤、ｐＨ安定剤、キレート剤および酸化防止剤の１種以上、を含有する添加剤パッケージを含む。添加剤パッケージ中の腐食防止剤としては、好ましくは、錫めっき鉄、鋼、アルミニウム、鋳鉄、真鍮および銅の腐食を防止する化合物が挙げられ、これらの各々はＳＡＥ  Ｊ１７０３，ＳＡＥ  Ｊ１７０４およびＦＭＶＳＳ  １１６に記載される腐食仕様を有する。しかし、特に好ましい態様において、腐食防止剤としてはまた、亜鉛の腐食を防止する１種以上の化合物が挙げられる。
【００４１】
添加剤パッケージは、好ましくは、流体組成物の少なくとも約０．１質量％、より好ましくは流体組成物の少なくとも約０．２質量％、および最も好ましくは流体組成物の少なくとも約０．３質量％である量で存在する。添加剤パッケージは、好ましくは、流体組成物の約１０質量％以下、より好ましくは流体組成物の約６．０質量％以下、および最も好ましくは流体組成物の約４．０質量％以下である量で存在する。
【００４２】
添加剤パッケージ中の脂肪酸としては、好ましくは、少なくとも２個、好ましくは少なくとも５個、より好ましくは少なくとも１０個、および更により好ましくは少なくとも１５個の炭素原子を有する、１種以上の脂肪族カルボン酸が挙げられる。脂肪族カルボン酸は、一般的には、３５個以下、好ましくは３０個以下、およびより好ましくは２５個以下の炭素原子を有する。直鎖、単官能の脂肪酸が好ましく、そして、直鎖、不飽和、単官能の脂肪酸がより好ましい。モノ不飽和脂肪酸が特に好ましい。好適な脂肪酸としては、限定しないが、オレイン酸、パルミチン酸、ステアリン酸、ミリスチン酸、パルミトイン酸、エライジン酸、およびリノール酸が挙げられる。添加剤パッケージ中の脂肪酸は、一般的には、流体組成物の少なくとも約０．０１質量％、好ましくは少なくとも約０．０４質量％、およびより好ましくは少なくとも約０．０８質量％である量で存在する。脂肪酸は、一般的には、流体組成物の約０．４質量％以下、より好ましくは約０．２質量％以下、および最も好ましくは約０．１５質量％以下である量で存在する。
【００４３】
添加剤パッケージ中の１種以上の添加剤は、一般的には、ホスフェートであり、そしてより具体的には、ホスフェートエステルである。ホスフェートエステルは、一般的には、アルコールおよびリン酸（Ｈ3ＰＯ4）のモノ−、ジ−、またはトリ−エステルである。アルコールは、好ましくは下記式：
式ＩＩＩ        Ｒ1−Ｒ2−ＯＨ
を有し、式中、Ｒ1は、少なくとも２個、より好ましくは少なくとも３個、更により好ましくは少なくとも４個、および更により好ましくは少なくとも６個の炭素原子を有する、置換または非置換のアルキル基、アルケニル基またはアリール基である。Ｒ1は、好ましくは３０個以下、より好ましくは２８個以下、更により好ましくは２６個以下、および更により好ましくは２４個以下の炭素原子を有する。Ｒ2は、好ましくは、２〜６個の炭素原子を有する、アルキル基またはアルコキシ基である。１つの例示の態様において、Ｒ2は、エトキシ基（−Ｏ−ＣＨ2−ＣＨ2−）である。好適なホスフェートエステルとしては、限定しないが、ＲＨＯＤＯＦＡＣ（登録商標）ＲＭ−５１０  （Ｒｈｏｄｉａ），ジノニルフェノール，エトキシ化，ホスフェートエステル、ＬＵＢＲＨＯＰＨＯＳ（登録商標）ＬＰ−７００  （Ｒｈｏｄｉａ），エトキシ化フェノールのホスフェートエステル、ＬＵＢＲＨＯＰＨＯＳ（登録商標）ＬＢ−４００（Ｒｈｏｄｉａ），オレインアルコールのエトキシ化ホスフェートエステル、ＬＵＢＲＨＯＰＨＯＳ（登録商標）ＬＫ−５００（Ｒｈｏｄｉａ），エトキシ化ヘキサノールのホスフェートエステル、およびトリクレジルホスフェート、クレゾールのホスフェートトリエステルが挙げられる。
【００４４】
ホスフェートエステルは、機能性流体の好ましくは少なくとも約０．０５質量％、より好ましくは少なくとも約０．１質量％、および更に好ましくは少なくとも約０．１５質量％である量で存在する。ホスフェートエステルは、機能性流体の好ましくは約０．４質量％以下、より好ましくは約０．３質量％以下、および更に好ましくは約０．２５質量％以下である量で存在する。いずれの理論に拘束されることも望まないが、以下で更に説明するように、機能性流体添加剤パッケージ中のホスフェートエステルと脂肪酸との組合せは、機能性流体の潤滑性を予期せず改善するという相乗効果を与えると考えられる。
【００４５】
腐食防止剤としては、好ましくは、少なくとも１種の複素環窒素含有化合物が挙げられ、例えばトリアゾール，例えばベンゾトリアゾール、トリトリアゾール、１，２，４−トリアゾール、およびこれらの混合物が挙げられる。トリアゾール化合物は、総流体質量の好ましくは少なくとも約０．０１質量％、より好ましくは少なくとも約０．０５質量％、および最も好ましくは少なくとも約０．０９質量％である量で存在する。トリアゾール化合物は総流体組成物の好ましくは約０．４質量％以下、より好ましくは約０．３質量％以下、および最も好ましくは約０．２０質量％以下である量で存在する。いずれの理論に拘束されることも望まないが、トリアゾール化合物，例えばベンゾトリアゾール、トリトリアゾール、および１，２，４−トリアゾアールは、銅の腐食を防止するのに特に有効であると考えられる。
【００４６】
腐食防止剤としてはまた、好ましくは、トリアゾール以外のアミン化合物が挙げられ、例えばアルキルアミン（例えば、ジｎ−ブチルアミンおよびジｎ−アミルアミン）、シクロヘキシルアミン、ピペラジン（例えば、ヒドロキシエチルピペラジン）、およびこれらの塩が挙げられる。本開示の機能性流体組成物における腐食防止剤として特に有用な非トリアゾールアミン化合物としては、アルカノールアミン、好ましくは１〜３つのアルカノール基を含有し各アルカノール基が１〜６個の炭素原子を含有するものが挙げられる。有用なアルカノールアミンの例としては、モノ−、ジ−およびトリメタノールアミン、モノ−、ジ−およびトリエタノールアミン、モノ−、ジ−およびトリプロパノールアミン、ならびにモノ−、ジ−およびトリイソプロパノールアミンが挙げられる。好ましいアルカノールアミンとしては、ブチルジエタノールアミンおよびジイソプロパノールアミン（「ｄｉｐａ」）が挙げられる。いずれの理論に拘束されることも望まないが、アルカノールアミンは、第一鉄化合物（例えば、鉄、鋼）の腐食を防止するために有用であると考えられ、そしてまたバッファーとして作用すると考えられる。
【００４７】
非トリアゾールアミン化合物は、総流体組成物の好ましくは少なくとも約０．１質量％、より好ましくは少なくとも約０．５質量％、および更により好ましくは少なくとも約０．８質量％である量で存在する。非トリアゾールアミン化合物は、総流体組成物の好ましくは約３質量％以下、より好ましくは約２．０質量％以下、および最も好ましくは約１．５質量％以下である量で存在する。
【００４８】
腐食防止剤としては、１種以上のアルケニル無水コハク酸を挙げることができる。好ましいアルケニル無水コハク酸としては、無水マレイン酸の誘導体が挙げられる。ドデセニル無水コハク酸は特に好ましい。機能性流体中に含有される場合、アルケニル無水コハク酸は、機能性流体組成物の好ましくは少なくとも約０．１質量％、より好ましくは少なくとも約０．１２質量％、および最も好ましくは少なくとも約０．１４質量％である量で存在する。アルケニル無水コハク酸は、機能性流体組成物の好ましくは約０．５質量％以下、より好ましくは約０．３質量％以下、および最も好ましくは約０．２質量％以下である量で存在する。
【００４９】
特定の好ましい態様において、腐食防止剤としてはまた、１種以上の無機ナイトレート、好ましくは硝酸ナトリウムが挙げられる。無機ナイトレートは、流体組成物の好ましくは少なくとも約０．０１質量％、より好ましくは少なくとも約０．０１５質量％、および最も好ましくは少なくとも約０．０２質量％である量で存在する。無機ナイトレートは、流体組成物の好ましくは約０．０６質量％以下、より好ましくは約０．０５質量％以下、および最も好ましくは約０．０４質量％以下である量で存在する。いずれの理論に拘束されることも望まないが、無機ナイトレートは、アルミニウムの腐食の防止において有効であると考えられる。
【００５０】
腐食防止剤としては、１種以上の無機ボレート，例えば４ホウ酸ナトリウム（Ｂｏｒａｘとして一般に公知）が挙げられる。無機ボレートは、好ましくは固体水和物として与えられる。特に好ましい無機ボレートは、４ホウ酸ナトリウム５水和物  Ｎａ2Ｂ4Ｏ7・５Ｈ2Ｏ（Ｂｏｒａｘ  ５Ｍｏｌとしても公知）である。別の例示の無機ボレートは、４ホウ酸ナトリウム１０水和物（Ｎａ2Ｂ4Ｏ7・１０Ｈ2Ｏ）である。存在する場合、無機ボレートは、流体組成物の好ましくは少なくとも約０．０３質量％、より好ましくは少なくとも約０．０５質量％、および最も好ましくは少なくとも約０．０７質量％である量で与えられる。無機ボレートは、流体組成物の好ましくは約０．１質量％以下、より好ましくは約０．０９質量％以下、および最も好ましくは約０．０８質量％以下である量で与えられる。いずれの理論に拘束されることも望まないが、無機ボレートは、第一鉄（例えば、鉄および鋼）の腐食を防止するのに有効であると考えられる。
【００５１】
腐食防止剤はまた、任意に、１種以上のシリコーン化合物，例えばシリケートエステルを含むことができる。好ましいシリケートエステルとしては、ジアルコキシシロキサンのポリマーが挙げられ、限定されないが、ポリ（ジエトキシシロキサン）（例えば、ＰＳＩ−０２１）が挙げられる。シリコーン腐食防止剤は、流体組成物の好ましくは少なくとも約０．００１質量％、より好ましくは少なくとも約０．００３質量％、および最も好ましくは少なくとも約０．００４質量％である量で与えられる。シリコーン腐食防止剤は、流体組成物の好ましくは約０．００８質量％以下、より好ましくは約０．００７質量％以下、および最も好ましくは約０．００６質量％以下である量で与えられる。いずれの理論に拘束されることも望まないが、シリコーン腐食防止剤は、真鍮およびアルミニウムの腐食を防止すると考えられる。
【００５２】
前記の腐食防止剤に加え、機能性流体添加剤パッケージはまた、他の添加剤化合物，例えば消泡剤、ｐＨ安定剤、キレート剤、酸化防止剤等を含むことができる。好ましい消泡剤としては、ポリ（ジメチルシロキサン）およびシリコーン系化合物，例えばＳＡＧ  １００  Ａｎｔｉｆｏａｍ（ＧＥ  Ａｄｖａｎｃｅｄ  Ｍａｔｅｒｉａｌｓの製品）が挙げられる。存在する場合、消泡剤は、流体組成物の好ましくは約０．０００２０質量％以下およびより好ましくは約０．０００１５質量％以下である量で与えられる。消泡剤は、好ましくは、流体組成物の少なくとも約０．００００１質量％、およびより好ましくは少なくとも約０．００００５質量％である量で存在する。
【００５３】
好適な酸化防止剤としては、フェノール性化合物およびキノリン化合物が挙げられる。例示のフェノール性酸化防止剤としては、ＢＨＴ（ブチル化ヒドロキシトルエン）；２,６−ジ−ｔｅｒｔ−ブチル−４−メチルフェノール（製造元  Ｇｒｅａｔ  Ｌａｋｅｓ  Ｃｈｅｍｉｃａｌ  Ｃｏｒｐｏｒａｔｉｏｎ，名称Ｌｏｗｉｎｏｘ（登録商標）６２４にて）  ２，６−ジ−ｔｅｒｔ−ブチル−ｐ−クレゾール）、２，６−ジ−ｔｅｒｔｉａｒｙ−ブチル−４-ｓｅｃ−ブチルフェノール（製造元  ＳＩ  Ｇｒｏｕｐ，名称Ｉｓｏｎｏｘ（登録商標）１３２にて）、およびビスフェノールＡが挙げられる。例示のキノリン酸化防止剤としては、Ａｇｅｒｉｔｅ（登録商標）Ｒｅｓｉｎ  Ｄ，重合トリメチルジヒドロキノリン化合物（製造元  ＲＴ．Ｖａｎｄｅｒｂｉｌｔ  Ｃｏｍｐａｎｙ）が挙げられる。酸化防止剤が添加剤パッケージ中に含まれる場合、これらは、流体組成物の好ましくは少なくとも約０．１質量％、より好ましくは少なくとも約０．２質量％、および最も好ましくは少なくとも約０．２５質量％である量で与えられる。酸化防止剤は、流体組成物の好ましくは約１．０質量％以下、より好ましくは約０．８質量％以下、および最も好ましくは約０．４質量％以下である量で与えられる。
【００５４】
好適なキレート剤としては、トリオクチルホスフィンオキサイド、トリブチル−ホスフェート、ジブチブチルホスフェート、ＤＥＨＰＡ（ジ（２−エチルヘキシル）リン酸）およびプロパンジアミン／キシレン組成物，例えばＤｕｐｏｎｔ  Ｍｅｔａｌ  Ｄｅａｃｔｉｖａｔｏｒ（Ｎ，Ｎ’−ジサリチリデン−１，２−プロパンジアミンおよびキシレン）が挙げられる。用いる場合、キレート剤は、好ましくは少なくとも約０．０１質量％、より好ましくは少なくとも約０．０５質量％、および最も好ましくは少なくとも約０．０８質量％である量で存在する。キレート剤は、流体組成物の好ましくは約０．２質量％以下、最も好ましくは約０．１５質量％以下、および最も好ましくは約０．１３質量％以下である量で存在する。
【００５５】
上記のように、ＳＡＥ  Ｊ１７０３およびＪ１７０４は、それぞれＤＯＴ  ３およびＤＯＴ  ４のブレーキ流体についての腐食基準を記載する。両基準に関し、２セットの、６つの規定の金属腐食試験ストリップを研磨、清浄化および計量する。各セットを含む６つの金属ストリップを一端で一緒に固定する。各ストリップは、おおよその長さ８ｃｍ、幅１．３ｃｍ、厚み０．６ｍｍ以下であり、そして表面積２５±５ｃｍ2を有する。規定の金属は、銅、真鍮、鋳鉄、アルミニウム、鋼、および錫めっき鉄である。２つのスチレンブタジエンゴム（「ＳＢＲ」）カップを、ＦＭＶＳＳ  １１６のセクション７．６ならびにＳＡＥ  Ｊ１７０４（Ｒｅｖ．Ａｐｒｉｌ  ２００４）の付録ＣおよびＤに記載されるように用意し、そしてこれらのベース径を測定する。加えて、カップのＩｎｔｅｒｎａｔｉｏｎａｌ  Ｒｕｂｂｅｒ  Ｈａｒｄｎｅｓｓ  Ｄｅｇｒｅｅ（「ＩＲＨＤ」）値を、ＡＳＴＭ  Ｄ１４１５試験法（その全部を参照により本明細書に組入れる）を用いて評価する。２つのＳＢＲカップおよび２つの金属ストリップ組合せ物を、ブレーキ流体および５％（体積基準）の水を収容する瓶の中に入れ、ここで金属ストリップ組合せ物は各々、それぞれのカップの１つの中に入れる。瓶に蓋をして１００℃のオーブンに１２０時間入れる。ストリップを次いで取り出し、そして２３℃±２℃で１時間乾燥させる。乾燥後、ストリップを各々０．１ｍｇ単位で計量して、質量の変化を各ストリップについて算出する。ストリップの面積を次いで評価し、そして表面積の単位面積当たりの質量変化（ｍｇ／ｃｍ2単位）を算出する。カップの径およびＩＲＨＤ値を次いで評価する。ＦＭＶＳＳ  １１６に従い、ＤＯＴ  ４ブレーキ流体として認定されるように、単位表面積当たりの質量変化は以下の仕様（ＳＡＥ  Ｊ１７０３およびＪ１７０４のものと同一である）を超えてはならない：
【００５６】
【表２】
0005480285.tif 000006
【００５７】
加えて、ＦＭＶＳＳ  １１６のＳＢＲカップ仕様は、内側カップ径の増大が１．４ｍｍ以下および硬度の低減が１５以下のＩｎｔｅｒｎａｔｉｏｎａｌ  Ｒｕｂｂｅｒ  Ｈａｒｄｎｅｓｓ  Ｄｅｇｒｅｅｓであることを必要とする。ＳＡＥ  Ｊ１７０４仕様は、これらがＳＢＲカップ体積の増大１６％以下（径の増大を規定することに代えて）を必要とすることを除いて、同一である。加えて、ＳＡＥ  Ｊ１７０３およびＪ１７０４は、機能性流体が等体積の５０％エタノール／５０％蒸留水の混合物（ｐＨ７．０に中和されている）と混合される場合に、ｐＨが７．０以上で１１．５以下であることを必要とする。基準はまた、沈殿レベル（sediment level）が０．１体積％以下であることを必要とする。各基準はまた、低温外観要求（規定試験条件下での層化、沈殿、または結晶化の不存在を必要とする）を含む。
【００５８】
上記のように、多くのブレーキ流体が供される環境をより良好にシミュレートするためにＳＡＥ  Ｊ１７０３およびＳＡＥ  Ｊ１７０４の試験手順を実施するために用いる、ブレーキ流体／水の組成物の改質が提案されてきた。特に、多くの地方は、冬場に路面に氷および雪がない状態を保つために路面塩を用いる。結果として、ブレーキ流体はしばしば水／塩溶液（これはブレーキ流体の性能を低下させる可能性がある）で汚染されるようになる。１つの好ましい態様において、本開示の機能性流体を、ブレーキ流体および５％水（体積基準）と２５ｐｐｍ塩化物イオンとの混合物を用いるＪ１７０３／Ｊ１７０４腐食試験に供する場合、混合物はＪ１７０３／Ｊ１７０４およびＦＭＶＳＳ  １１６腐食仕様に、錫めっき鉄、鋼、アルミニウム、鋳鉄、真鍮および銅についての表面積当たりの最大許容質量変化について適合する。
【００５９】
これらの腐食防止特性に加え、本開示の流体組成物は、優れた水安定性を示し、そして高沸点および低粘度を比較的高い水レベルで維持できる。特定の好ましい態様において、流体組成物は、湿潤平衡還流沸点（ＷＥＲＢＰ）約１４０℃以上、好ましくは約１５０℃以上、より好ましくは約２００℃以上、および更により好ましくは約２２０℃以上を維持する。特定の好ましい態様において、流体組成物は、乾燥平衡還流沸点（ERBP）約２００℃以上、好ましくは約２２０℃以上、より好ましくは約２３０℃以上、および更により好ましくは約２４０℃以上を維持する。機能性流体は、好ましくは、−４０℃での動粘度約１８００ｃＳｔ以下、より好ましくは約１４００ｃＳｔ以下、および最も好ましくは約１０００ｃＳｔ以下を有する。
【００６０】
例
例１−ホスフェートエステルを有する、およびホスフェートエステル／オレイン酸の組合せを有する、機能性流体の腐食および潤滑性の性能
潤滑性および腐食の試験データは、市販で入手可能なＤＯＴ  ３ブレーキ流体（ＰＭ６６６４）ベース流体、および、ＲＨＯＤＯＦＡＣ（登録商標）ＲＭ  ５１０ホスフェートエステルを含有する流体の２種の改質型について得る。改質型の流体の１つにおいて、ホスフェートエステルは、脂肪酸（オレイン酸）と組合せ、そして、他の型においては脂肪酸を含まない。配合は以下の通りである：
【００６１】
【表３】
0005480285.tif 000007
【００６２】
表３において、「メトキシポリグリコール」（「ＭＰＧ」）は、メトキシトリエチレングリコール（１０質量％のＭＰＧ）メトキシテトラエチレングリコール（７８．４質量％のＭＰＧ）、およびメトキシポリグリコールであって５またはこれより多い繰返しエチレングリコール単位を有するもの（１０．９質量％のＭＰＧ）の混合物を意味する。ＬＶ−ＲＧ１およびＬＶ−ＲＧ２の配合物は、以下の平衡還流沸点および粘度を有する：
【００６３】
【表４】
0005480285.tif 000008
【００６４】
前記の流体の各々を、腐食防止について、ＳＡＥ  Ｊ１７０３およびＪ１７０４の試験プロトコルを用いて試験する。両者は、機能性流体と混合される水への２５ｐｐｍ塩化物イオンの添加を伴いおよび伴わない。結果は以下の通りである：
【００６５】
【表５】
0005480285.tif 000009
【００６６】
【表６】
0005480285.tif 000010
【００６７】
表３中の機能性流体もまた、潤滑性について、Ｃａｍｅｒｏｎ−Ｐｌｉｎｔ  Ｒｅｃｉｐｒｏｃａｔｉｎｇ  Ｓｌｉｄｉｎｇ  Ｗｅａｒ  Ｔｅｓｔｅｒを用いて試験する。ここで８０  Ｄｕｒｏｍｅｔｅｒ  ＥＰＤＭゴムを含む上側の試料は、４３質量％のガラス繊維で補強されたＤｕ  Ｐｏｎｔ  ＺＹＴＥＬ（登録商標）７０Ｇ４３  ナイロン６６レジンを含む下側の試料に対して振動する。結果を図１に与える。これは摩擦係数  対  時間をプロットする。図１が示すように、ＬＶ−ＲＧ１およびＬＶ−ＲＧ２の両者の流体は、約９０秒後に、ベースＰＭ６６６４物質よりも良好な潤滑性（すなわちより低い摩擦係数）を実現する。上記で示すように、ＰＭ６６６４とは異なり、ＬＶ−ＲＧ１およびＬＶ−ＲＧ２の両者の流体はホスフェートエステルを含む。しかし、ＬＶ−ＲＧ２はまたオレイン酸を含む。図１が示すように、オレイン酸とホスフェートエステルとを組合せることは、２倍を超える潤滑性の改善およびより着実な潤滑性を、試験期間に亘って与える。表４が示すように、ＬＶ−ＲＧ１およびＬＶ−ＲＧ２の両者は、ＳＡＥ  Ｊ１７０３（ＥＲＢＰ２３０℃以上）およびＳＡＥ  Ｊ１７０４（ＥＲＢＰ  ２０５℃以上）の両者のＥＲＢＰ仕様に合致する。これらはまた、両基準の−４０℃の動粘度仕様（１８００ｃＳｔ以下）およびＳＡＥ  Ｊ１７０３のＷＥＲＢＰ仕様（１４０℃以上）に適合する。加えて、２５ｐｐｍの塩化物イオンの添加を伴っていても、ＬＶ−ＲＧ１およびＬＶ−ＲＧ２の両者は、ＳＡＥ  Ｊ１７０３およびＪ１７０４の両者の錫めっき鉄、鋼、アルミニウム、鋳鉄、真鍮、および銅の腐食仕様、更に両基準の硬度およびゴムカップ径の仕様に適合する。
【００６８】
例２−種々の量のホスフェートエステルを有しかつ脂肪酸を有さない機能性流体の腐食および潤滑性の性能
この例において、潤滑性および腐食のデータを、市販のＤＯＴ  ３ブレーキ流体（ＤＢＦ  ３１０  ＧＣ）および２種の改質型の流体であって種々の量のＲＨＯＤＯＦＡＣ（登録商標）ＲＭ−５１０（ジアルキルフェノールエトキシ化ホスフェートエステル）を添加したものについて得る。配合を表７に与える：
【００６９】
【表７】
0005480285.tif 000011
【００７０】
表７において、「ブトキシポリエチレングリコール（「ＢＰＧ」）は、ブトキシトリエチレングリコール（１１．９質量％のＢＰＧ）、ブトキシテトラエチレングリコール（６４．２質量％のＢＰＧ）およびブトキシポリエチレングリコールであって５またはこれより多い繰返しエチレンオキサイド単位を有するもの（２１．９質量％のＢＰＧ）の混合物を意味する。「Ｄｉｆｌａｓｈ精製」は、ジエチレングリコール（２２．８質量％のＤｉｆｌａｓｈ）、トリエチレングリコール（５８．３質量％のＤｉｆｌａｓｈ）、テトラエチレングリコール（１６．４質量％のＤｉｆｌａｓｈ）、およびエチレングリコールであって５またはこれより多い繰返しエチレンオキサイド単位を有するもの（１．８質量％のＤｉｆｌａｓｈ）の混合物を意味する。「Ｐｕｓｈｅｒ精製」は、テトラエチレングリコール（６５．３質量％のＰｕｓｈｅｒ）、ペンタエチレングリコール（２９．２質量％のＰｕｓｈｅｒ）、ヘキサエチレングリコール（１．８質量％のＰｕｓｈｅｒ）、およびエチレングリコールであって７またはこれより多い繰返しエチレンオキサイド単位を有するもの（２．３質量％のＰｕｓｈｅｒ）の混合物を意味する。
【００７１】
表７中の流体は、ＳＡＥ  Ｊ１７０３／Ｊ１７０４およびＦＭＶＳＳ  １１６腐食試験（機能性流体に添加される水への２５ｐｐｍ塩化物イオンの添加ありおよびなしの両者）に供する。結果を以下の表８および９に記載する：
【００７２】
【表８】
0005480285.tif 000012
【００７３】
【表９】
0005480285.tif 000013
【００７４】
表８および９が示すように、０．１％ＲＭ−５１０および０．２％ＲＭ−５１０の両者の配合は、錫めっき鉄、鋼、アルミニウム、鋳鉄、真鍮、および銅についてのＳＡＥ  Ｊ１７０３／１７０４腐食仕様、更に、これらの基準のゴムカップ径および硬度の仕様に合致する。
【００７５】
表７の機能性流体もまた、潤滑性について、例１に関して先に記載したＣａｍｅｒｏｎ−Ｐｌｉｎｔ装置を用いて試験する。Ｃａｍｅｒｏｎ−Ｐｌｉｎｔ装置で用いる表面は例１で用いるものである。得られる潤滑性データを図２に表す。図面が示すように、０．１％のＲＭ−５１０の添加は、１０秒から約２３０秒のより大きい潤滑性を与える。しかし、約２３０秒後、０．１％ＲＭ−５１０配合物は潤滑性の低下を被る。これに対し、０．２％ＲＭ−５１０を有する配合物は、摩擦係数約０．０６未満を、試験期間全体に亘って維持する。表７中の両配合物は、ホスフェートエステル（ＲＭ−５１０）を含むが、これらのいずれも脂肪酸を含まない。これに対し、表３のＬＶ−ＲＧ２配合物は、脂肪酸およびホスフェートエステルの両者を含む。図１および２の比較は、ＲＭ−５１０の量が一定に維持される場合であっても、オレイン酸とＲＭ−５１０との組合せが潤滑性の実質的な増大を与えることを示し、脂肪酸およびホスフェートエステルの組合せが、潤滑性の相乗効果および予期しない改善を実現することを更に示す。
【００７６】
本開示の機能性流体は、多くの機械的システム（例えば油圧リフト、クレーン、フォークリフト、ブルドーザー、油圧ジャッキ、ブレーキシステム、これらの組合せ等）のための液圧流体としての使用によく適合されている。これらの流体組成物の高い潤滑性、更にＥＲＢＰ、ＷＥＲＢＰ、および低温粘度は、これらを輸送手段（例えば固定翼および回転翼の飛行機、列車、自動車のクラス１〜８のもの、等）におけるブレーキシステムに対してよく適合されたものにする。これらのブレーキシステムとしては、アンチロックブレーキシステム（ＡＢＳ）、安定制御システム、またはこれらの組合せが挙げられる。
【００７７】
１つの例示の実施において、デプレッシブルアクチュエーター、マスターシリンダー、ピストン、および該ピストン上に配置されたゴムカップシールを含むブレーキシステムを提供する。本開示の機能性流体は、マスターシリンダーのボア内に配置され、そしてブレーキ機構（例えばブレーキパッドおよびローター）への圧力を伝達して乗用物を減速または停止させるのに用いる。アクチュエーターが押圧されるに従って、ピストンがマスターシリンダーの内側に沿って動き、流体をシリンダーボアから移す。この操作の間、ゴムカップは、マスターシリンダーの壁を摩擦で係合する。これはひいてはゴムカップが擦れ、ゴムカップの周囲の漏れおよびブレーキ性能の低下をもたらす原因となる可能性がある。特定の例示の用途において、マスターシリンダーはプラスチックに沿い、そして機能性流体は、ゴムカップおよびプラスチックマスターシリンダーライニングの摩擦での係合を潤滑する。図１および２に例示するように、少なくとも１種のグリコール、ならびに少なくとも１種の脂肪酸および少なくとも１種のホスフェートエステルを含む添加剤パッケージを含む機能性流体の使用は、ゴムとプラスチック表面との間の摩擦の量を有益に低減し、これにより、ゴムカップが被る擦れの程度を低減する。
【００７８】
複数の成分またはステップの機能もしくは構造を単一の成分もしくはステップに組合せることができ、または、１つのステップもしくは成分の機能もしくは構造は複数のステップもしくは成分に分割できることが更に理解されよう。本開示は、これらの組合せの全てを意図する。特記がない限り、本明細書に表す種々の構造の寸法および配置は、開示が限定的であることを意図するものではなく、他の寸法または配置が可能である。複数の構造成分またはステップは、単一の一体化された構造またはステップによって与えることができる。これに代えて、単一の一体化された構造またはステップは、別個の複数の成分またはステップに分割してもよい。加えて、本開示の特徴を、例示の態様の１つのみの文脈で記載してきた場合があるが、このような特徴は任意の与えられる用途についての他の態様の１つ以上の他の特徴と組合せることができる。上記から、本明細書での特異な構造の製造およびその操作が本開示に関する方法をも構成することも理解されよう。
【００７９】
本明細書で与えられる説明および例示は、他の当業者に開示、その原理およびその実際の適用を紹介することを意図する。当業者は、開示をその多くの形態で、特定の用途の要求に対して最良に適合できるように適合および適用することができる。従って、記載される本開示の具体的な態様は、排他的または限定的であることを意図しない。従って、開示の範囲は、上記記載の参照で決定するのではなく、特許請求の範囲の参照で、このような特許請求の範囲が与える均等の全範囲とともに決定すべきである。全ての論説および文献（例えば特許出願および公開公報）の開示は全趣旨で参照により組入れる。
本発明は以下の態様を有する。
［１］  少なくとも１種のグリコール；ならびに
少なくとも１種の脂肪酸およびホスフェートエステルを含む添加剤パッケージ；
を含む、流体組成物。
［２］  少なくとも１種のグリコールが、総流体組成物の約２０質量％超の量で存在する、上記［１］に記載の流体組成物。
［３］  少なくとも１種のグリコールが、総流体組成物の約９９質量％未満の量で存在する、上記［１］または［２］に記載の流体組成物。
［４］  少なくとも１種のグリコールが、式：
【化１】
0005480285.tif 000014
（式中、Ｒ1、Ｒ2、Ｒ3、Ｒ4およびＲ5は独立に、水素、および１〜８個の炭素原子を含有するアルキル基からなる群から選択され、そしてｎは少なくとも１である。）
を有する、上記［１］〜［３］のいずれかに記載の流体組成物。
［５］  少なくとも１種のグリコールが、ｎ＝２である第１のグリコール成分と、ｎ＝３である第２のグリコール成分とを含む、上記［４］に記載の流体組成物。
［６］  少なくとも１種のグリコール成分が、Ｒ1が１個の炭素原子を含有するアルキル基である第１のグリコール成分と、Ｒ1が４個の炭素原子を含有するアルキル基である第２のグリコール成分とを含む、上記［４］または［５］に記載の流体組成物。
［７］  流体組成物の約７０質量％未満である量で存在する少なくとも１種のグリコールボレートエステルを更に含む、上記［１］〜［６］のいずれかに記載の流体組成物。
［８］  添加剤パッケージが、流体組成物の約１０質量％未満である量で存在する、上記［１］〜［７］のいずれかに記載の流体組成物。
［９］  添加剤パッケージが、流体組成物の約０．１質量％超である量で存在する、上記［１］〜［８］のいずれかに記載の流体組成物。
［１０］  少なくとも１種の脂肪酸が、直鎖である、上記［１］〜［９］のいずれかに記載の流体組成物。
［１１］  少なくとも１種の脂肪酸が、モノ不飽和である、上記［１］〜［１０］のいずれかに記載の流体組成物。
［１２］  少なくとも１種の脂肪酸が、流体組成物の少なくとも約０．０１質量％の量で存在する、上記［１］〜［１１］のいずれかに記載の流体組成物。
［１３］  脂肪酸が、流体組成物の約０．４％以下の量で存在する、上記［１］〜［１２］のいずれかに記載の流体組成物。
［１４］  ホスフェートエステルが、式Ｒ1−Ｒ2−ＯＨ（式中、Ｒ1は置換または非置換のアルキル基、アルケニル基またはアリール基からなる群から選択され、そしてＲ2はアルキル基およびアルコキシ基からなる群から選択される）を有するアルコールのホスフェートエステルである、上記［１］〜［１２］のいずれかに記載の流体組成物。
［１５］  Ｒ1が少なくとも２個の炭素原子を有する、上記［１４］に記載の流体組成物。
［１６］  Ｒ1が３０個以下の炭素原子を有する、上記［１４］または［１５］に記載の流体組成物。
［１７］  Ｒ1が、アルキル置換されたアリール基である、上記［１４］〜［１６］のいずれかに記載の流体組成物。
［１８］  Ｒ2がエトキシ基である、上記［１４］〜［１７］のいずれかに記載の流体組成物。
［１９］  Ｒ1が、非置換のアルケニル基である、上記［１４］〜［１６］および［１８］のいずれかに記載の流体組成物。
［２０］  少なくとも１種のホスフェートエステルが、流体組成物の約０．０５質量％以上の量で存在する、上記［１］〜［１９］のいずれかに記載の流体組成物。
［２１］  少なくとも１種のホスフェートエステルが、流体組成物の約０．４質量％以下の量で存在する、上記［１］〜［２０］のいずれかに記載の流体組成物。
［２２］  式：
Ｒ7−（Ｏ−（ＰＯ）m（ＥＯ）n−Ｒ8）x
（式中、ＰＯは、プロピレンオキサイド単位であり；
ＥＯは、エチレンオキサイド単位であり；
Ｒ7は、水素またはｘ価ヒドロカルビル基であり；
ｘは、少なくとも１であり；
Ｒ8は、水素またはヒドロカルビル基であり；
ｍは、少なくとも０の数であり；
ｎは、少なくとも０の数であり；そして
ｍ＋ｎは、０超である。）
を有するポリアルキレングリコールを更に含む、上記［１］〜［２１］のいずれかに記載の流体組成物。
［２３］  ｍ＝ｎである、上記［２２］に記載の流体組成物。
［２４］  流体組成物の平衡還流沸点が少なくとも約２３０℃である、上記［１］〜［２３］のいずれかに記載の流体組成物。
［２５］  流体組成物の動粘度が、−４０℃にて約１８００ｃＳｔ以下である、上記［１］〜［２４］のいずれかに記載の流体組成物。
［２６］  組成物を水および塩化物塩と組合せて、水が総組成物の５体積％の量で存在しかつ塩化物イオンが総組成物の１００万分の２５質量部の量で存在する総組成物を得たときに、該総組成物が、ＳＡＥ基準Ｊ１７０４］に記載される錫めっき鉄、鋼、アルミニウム、鋳鉄、真鍮および銅についての最大許容質量変化仕様に適合する、上記［１］〜［２５］のいずれかに記載の流体組成物。
［２７］  流体組成物を、ポリアミド６６および４３質量％ガラス繊維とのコンポジットを含む第１の表面と、ショアＡ硬度８０を有するＥＰＤＭゴムを含む第２の表面との間に適用し、そして該第１の表面が摺動自在に第２の表面を係合したときに、該第１の表面と該第２の表面との間の１００秒間の摺り係合の後の摩擦係数が０．０７未満である、上記［１］〜［２６］のいずれかに記載の流体組成物。
［２８］  ボアを有するマスターシリンダーを含み、上記［１］〜［２７］のいずれかに記載の流体組成物が該ボア内に配置されている、ブレーキシステム。
［２９］  マスターシリンダーが、ボアを規定する内側表面を有し、そして該内側表面がプラスチックライニングを有する、上記［２８］に記載のブレーキシステム。
［３０］  プラスチックライニングがポリアミドを含む、上記［２９］に記載のブレーキシステム。
［３１］  少なくとも１種のグリコールおよび添加剤パッケージを含む流体組成物であって、流体組成物を、ポリアミド６６および４３質量％ガラス繊維とのコンポジットを含む第１の表面と、ショアＡ硬度８０を有するＥＰＤＭゴムを含む第２の表面との間に適用し、そして該第１の表面が摺動自在に第２の表面を係合したときに、該第１の表面と該第２の表面との間の１００秒間の摺り係合の後の摩擦係数が約０．０７未満である、流体組成物。
［３２］  該第１の表面と該第２の表面との間の１００秒間の摺り係合の後の摩擦係数が、約０．０３未満である、上記［３１］に記載の流体組成物。
［３３］  流体組成物の平衡還流沸点が少なくとも約２３０℃である、上記［３１］または［３２］に記載の流体組成物。
［３４］  組成物の動粘度が、−４０℃にて約１８００ｃＳｔ以下である、上記［３１］〜［３３］のいずれかに記載の流体組成物。
［３５］  組成物を水および塩化物塩と組合せて、水が総組成物の５体積％の量で存在しかつ塩化物イオンが総組成物の１００万分の２５質量部の量で存在する総組成物を得たときに、該総組成物が、ＳＡＥ基準Ｊ１７０４］に記載される錫めっき鉄、鋼、アルミニウム、鋳鉄、真鍮および銅についての最大許容質量変化仕様に適合する、上記［３１］〜［３４］のいずれかに記載の流体組成物。
［３６］  少なくとも１種のグリコールが、式：
【化２】
0005480285.tif 000015
（式中、Ｒ1、Ｒ2、Ｒ3、Ｒ4およびＲ5は独立に、水素、および１〜８個の炭素原子を含有するアルキル基からなる群から選択され、そしてｎは少なくとも１である。）
を有する、上記［３１］〜［３５］のいずれかに記載の流体組成物。
［３７］  少なくとも１種のグリコールが、ｎ＝２である第１のグリコール成分と、ｎ＝３である第２のグリコール成分とを含む、上記［３６］に記載の流体組成物。
［３８］  少なくとも１種のグリコール成分が、Ｒ1が１個の炭素原子を含有するアルキル基である第１のグリコール成分と、Ｒ1が４個の炭素原子を含有するアルキル基である第２のグリコール成分とを含む、上記［３６］または［３７］に記載の流体組成物。
［３９］  流体組成物の約７０質量％以下の量で存在する少なくとも１種のグリコールボレートエステルを更に含む、上記［３１］〜［３８］のいずれかに記載の流体組成物。
［４０］  式：
Ｒ7−（Ｏ−（ＰＯ）m（ＥＯ）n−Ｒ8）x
（式中、ＰＯは、プロピレンオキサイド単位であり；
ＥＯは、エチレンオキサイド単位であり；
Ｒ8は、水素またはヒドロカルビル基であり；
ｘは、少なくとも１であり；
Ｒ7は、水素またはｘ価ヒドロカルビル基であり；
ｍは、少なくとも０の数であり；
ｎは、少なくとも０の数であり；そして
ｍ＋ｎは、０超である。）
を有する、少なくとも１種のポリアルキレングリコールを更に含む、上記［３１］〜［３９］のいずれかに記載の流体組成物。
［４１］  ｍ＝ｎである、上記［４０］に記載の流体組成物。
［４２］  添加剤パッケージが、少なくとも１種の脂肪酸および少なくとも１種のホスフェートエステルを含む、上記［３１］〜［４１］のいずれかに記載の流体組成物。
［４３］  ボアを有するマスターシリンダーを含み、上記［３１］〜［４２］のいずれかに記載の流体組成物が該ボア内に配置されている、ブレーキシステム。
［４４］  マスターシリンダーが、ボアを規定する内側表面を有し、そして該内側表面がプラスチックライニングを有する、上記［４３］に記載のブレーキシステム。
［４５］  プラスチックライニングがポリアミドコンポジットを含む、上記［４４］に記載のブレーキシステム。
【図１】
0005480285.tif 000017
【図２】
0005480285.tif 000018